(57)【特許請求の範囲】
【請求項１】
クレーンの多段伸縮ブームの先端ブーム内にジブが前後摺動自在に嵌挿されるとともに、該ジブが、前記先端ブーム内に格納された格納位置と、前記先端ブームに沿って前方に伸出された伸出位置と、前記先端ブーム前方に伸出され且つ所定のチルト角度に回動されたチルト位置とに位置するように構成され、前記格納位置、伸出位置およびチルト位置の各位置で前記ジブを固定する固定ピンを有してなるブーム内蔵式のジブ装置であって、
前記先端ブームには、その先端部に格納・伸出用ピン孔およびチルト用ピン孔が設けられるとともに、該格納・伸出用ピン孔の後方に位置決めピンが設けられ、
前記ジブには、その先端部に格納用ピン孔が設けられるとともに、その後端部に前記伸出位置で前記位置決めピンに係合するＵ字型ストッパが設けられ且つ該Ｕ字型ストッパの前方に伸出・チルト用ピン孔が設けられ、
前記Ｕ字型ストッパは、前記位置決めピンに係合するＵ字状溝の延設方向が、前記ジブが前記先端ブーム内で前後摺動する方向に沿って設けられ、更に、該Ｕ字状溝の延設位置は、そのＵ字状の開口端部が前記位置決めピンに係合するまでは、前記ジブ後端が前記先端ブームに案内され、そのＵ字状溝の底部が前記位置決めピンに係合するまでの間は、前記ジブ後端を前記先端ブーム先端よりも前方に離間する位置まで導くとともに、そのＵ字状溝の底部が前記位置決めピンに係合した状態では、前記ジブ後端が前記先端ブーム先端よりも前方に離間する位置まで伸出されて前記ジブが前記位置決めピンを中心として上下に回動可能となるように設けられており、
前記固定ピンは、前記ジブの格納位置では、前記格納・伸出用ピン孔と前記格納用ピン孔とに挿通され、前記ジブの伸出位置では、前記格納・伸出用ピン孔と前記伸出・チルト用ピン孔とに挿通され、前記ジブのチルト位置では、前記チルト用ピン孔と前記伸出・チルト用ピン孔とに挿通されて、前記ジブを固定するようになっていることを特徴とするブーム内蔵式のジブ装置。
【請求項２】
前記先端ブームの先端部に、前記ジブの伸出位置で前記ジブの後端下面が当接する重ね部と、前記ジブのチルト位置で前記ジブの後端上面が当接するストッパと、を設けたことを特徴とする請求項１記載のブーム内蔵式のジブ装置。
【発明の詳細な説明】
【０００１】
【発明の属する技術分野】
本発明は、クレーンの多段伸縮ブームの先端ブームにジブが内蔵されるブーム内蔵式のジブ装置に関するものである。
【０００２】
【従来の技術】
クレーンの多段伸縮ブームの先端ブームにジブが内蔵されるブーム内蔵式のジブ装置には、ジブ格納位置ではジブの格納用のピン孔に先端ブームから固定ピンを挿入して固定し、ジブ伸出位置ではジブの伸出位置決め用のピン孔に先端ブームから固定ピンを挿入してジブのチルトの回動中心とすると共に、ジブを回動させてジブの基端部に設けた複数のチルト位置決め用のピン孔のいずれかに先端ブームからチルトピンを挿入し、選択されたチルト角度でジブを固定するように構成したものがある（特公昭４９−１８２１号参照）。
【０００３】
【発明が解決しようとする課題】
しかしながら、このようなブーム内蔵式のジブ装置では、先端ブームとジブとの間にガタがあるため、固定ピンと伸出位置決め用のピン孔の位置が適切に合致せず、固定ピンが伸出位置決め用のピン孔に入り難い。
また、チルトピンとチルト位置決め用のピン孔との位置を合わせてチルトピンを挿入するのが難しいという問題があった。
【０００４】
本発明は、ブーム内蔵式のジブ装置における上記問題を解決するものであって、ジブの伸出位置決め、チルト位置決めが容易であり、ジブの格納、伸出、チルトを、固定ピン１本の挿脱で変更することのできるブーム内蔵式のジブ装置を提供することを目的とする。
【０００５】
【課題を解決するための手段】
本発明では、クレーンの多段伸縮ブームの先端ブーム内にジブが前後摺動自在に嵌挿されるとともに、該ジブが、前記先端ブーム内に格納された格納位置と、前記先端ブームに沿って前方に伸出された伸出位置と、前記先端ブーム前方に伸出され且つ所定のチルト角度に回動されたチルト位置とに位置するように構成され、前記格納位置、伸出位置およびチルト位置の各位置で前記ジブを固定する固定ピンを有してなるブーム内蔵式のジブ装置において、前記先端ブームには、その先端部に格納・伸出用ピン孔およびチルト用ピン孔が設けられるとともに、該格納・伸出用ピン孔の後方に位置決めピンが設けられ、前記ジブには、その先端部に格納用ピン孔が設けられるとともに、その後端部に前記伸出位置で前記位置決めピンに係合するＵ字型ストッパが設けられ且つ該Ｕ字型ストッパの前方に伸出・チルト用ピン孔が設けられ、前記Ｕ字型ストッパは、前記位置決めピンに係合するＵ字状溝の延設方向が、前記ジブが前記先端ブーム内で前後摺動する方向に沿って設けられ、更に、該Ｕ字状溝の延設位置は、そのＵ字状の開口端部が前記位置決めピンに係合するまでは、前記ジブ後端が前記先端ブームに案内され、そのＵ字状溝の底部が前記位置決めピンに係合するまでの間は、前記ジブ後端を前記先端ブーム先端よりも前方に離間する位置まで導くとともに、そのＵ字状溝の底部が前記位置決めピンに係合した状態では、前記ジブ後端が前記先端ブーム先端よりも前方に離間する位置まで伸出されて前記ジブが前記位置決めピンを中心として上下に回動可能となるように設けられており、前記固定ピンは、前記ジブの格納位置では、前記格納・伸出用ピン孔と前記格納用ピン孔とに挿通され、前記ジブの伸出位置では、前記格納・伸出用ピン孔と前記伸出・チルト用ピン孔とに挿通され、前記ジブのチルト位置では、前記チルト用ピン孔と前記伸出・チルト用ピン孔とに挿通されて、前記ジブを固定するように構成したことにより、上記課題を解決している。
【０００６】
このブーム内蔵式のジブ装置は、ジブを格納する場合には、ジブを先端ブーム内で後方の格納位置まで摺動させ、格納・伸出用ピン孔と格納用ピン孔とに固定ピンを挿通して固定する。
ジブを真っ直ぐに伸出させて作業する場合には、固定ピンを抜いてジブを前方へ摺動させる。ジブが所定の伸出位置まで前進するとＵ字型ストッパが位置決めピンに係合して位置決めされ、格納・伸出用ピン孔と伸出・チルト用ピン孔の位置が一致するので、固定ピンを挿通して固定する。
【０００７】
Ｕ字型ストッパが位置決めピンに係合した状態では、ジブは位置決めピンを中心として上下に回動可能となるので、ジブをチルトさせて作業する場合には、ジブを回動させてチルト用ピン孔と伸出・チルト用ピン孔とを合わせ、固定ピンを挿通して固定する。
このように、ジブの伸出位置決め、チルト位置決めは容易であり、ジブの格納、伸出、チルトを、固定ピン１本の挿脱で簡単に変更することができる。
【０００８】
また、先端ブームの先端部に、ジブの伸出位置でジブの後端下面が当接する重ね部と、ジブのチルト位置でジブの後端上面が当接するストッパとを設けると、ジブの伸出位置及びチルト位置での位置決めはさらに容易になる。
【０００９】
【発明の実施の形態】
図１は本発明の実施の一形態を示すブーム内蔵式のジブ装置を備えたクレーンの多段伸縮ブームの側面図、図２はジブの伸出した状態を示すクレーンの多段伸縮ブームの側面図、図３はジブのチルトした状態を示すクレーンの多段伸縮ブームの側面図、図４はジブの格納した状態を示す部分横断面図、図５はジブの伸出した状態を示す部分横断面図である。
【００１０】
多段伸縮ブーム１は、基端ブーム２と中間ブーム３と先端ブーム４とからなり、テレスコピックなブーム伸縮用シリンダ５によって、中間ブーム３と先端ブーム４が基端ブーム２に対して伸縮する。
この多段伸縮ブーム１の先端ブーム４内には、ジブ６が前後摺動自在に嵌挿されている。ジブ６の前端下部には滑車７が設けられており、この滑車７にウインチ（図示略）のワイヤロープ８が掛け回され、その先端にフック９が吊下されている。
【００１１】
先端ブーム４の先端部には、格納・伸出用ピン孔１１とチルト用ピン孔１２とが設けられている。格納・伸出用ピン孔１１の後方には位置決めピン１３が内側に向けて突設されている。なお、格納・伸出用ピン孔１１とチルト用ピン孔１２とは、位置決めピン１３から等距離の位置、即ち位置決めピン１３を中心とする同一円周上にある。
【００１２】
ジブ６の先端部には、格納用ピン孔１４が設けられている。ジブ６の後端部には、図２に示すジブの伸出位置で位置決めピン１３に係合するＵ字型ストッパ１５が設けられ、このＵ字型ストッパ１５の前方に伸出・チルト用ピン孔１６が設けられている。
Ｕ字型ストッパ１５が位置決めピン１３に係合した状態では、ジブ６は位置決めピン１３を中心として上下に回動可能となる。
【００１３】
図１に示すジブ６の格納位置では、固定ピン１７が格納・伸出用ピン孔１１と格納用ピン孔１４とに挿通されている。
この固定ピン１７は、図２に示すジブ６の伸出位置では格納・伸出用ピン孔１１と伸出・チルト用ピン孔１６とに挿通され、図３に示すジブ６のチルト位置ではチルト用ピン孔１２と伸出・チルト用ピン孔１６に挿通されて、ジブ６を固定する。
【００１４】
また、先端ブーム４の先端部には、ジブ６の伸出位置でジブ６の後端下面が当接する重ね部１８と、ジブ６のチルト位置でジブ６の後端上面が当接するストッパ１９とが設けられている。
ジブ６を格納する場合には、ジブ６を先端ブーム４内で図１に示す後方の格納位置まで摺動させ、格納・伸出用ピン孔１１と格納用ピン孔１４とに固定ピン１７を挿通して固定する。
【００１５】
ジブ６を真っ直ぐに伸出させて作業する場合には、固定ピン１７を抜いてジブ６を前方へ引出す。ジブ６が図２の伸出位置まで摺動前進するとＵ字型ストッパ１５が位置決めピン１３に係合して位置決めされる。このとき、ジブ６の後端下面が先端ブーム４の重ね部１８と当接していれば、格納・伸出用ピン孔１１と伸出・チルト用ピン孔１６の位置が一致するので、固定ピン１７を挿通して固定する。
【００１６】
Ｕ字型ストッパ１５が位置決めピン１３に係合した状態では、ジブ６は位置決めピン１３を中心として上下に回動可能となるので、ジブ６をチルトさせて作業する場合には、ジブ６を回動させてチルト用ピン孔１２と伸出・チルト用ピン孔１６とを合わせ、固定ピン１７を挿通して固定する。このときには、ジブ６の後端上面を先端ブーム４のストッパ１９に当接させることで、チルト用ピン孔１２と伸出・チルト用ピン孔１６の位置を容易に一致させることができる。
このように、ジブ６の伸出位置決め、チルト位置決めは容易であり、ジブ６の格納、伸出、チルトを、固定ピン１７を挿脱するだけで簡単に変更することができる。
【００１７】
【発明の効果】
以上説明したように、本発明のブーム内蔵式のジブ装置は、ジブの伸出位置決め、チルト位置決めが容易であり、ジブの格納、伸出、チルトを、固定ピン１本の挿脱で簡単に変更することができる。
【図面の簡単な説明】
【図１】本発明の実施の一形態を示すブーム内蔵式のジブ装置を備えたクレーンの多段伸縮ブームの側面図である。
【図２】ジブの伸出した状態を示すクレーンの多段伸縮ブームの側面図である。
【図３】ジブのチルトした状態を示すクレーンの多段伸縮ブームの側面図である。
【図４】ジブの格納した状態を示す部分横断面図である。
【図５】ジブの伸出した状態を示す部分横断面図である。
【符号の説明】
１      多段伸縮ブーム
２      基端ブーム
３      中間ブーム
４      先端ブーム
５      ブーム伸縮用シリンダ
６      ジブ
７      滑車
８      ワイヤロープ
９      フック
１１    格納・伸出用ピン孔
１２    チルト用ピン孔
１３    位置決めピン
１４    格納用ピン孔
１５    Ｕ字型ストッパ
１６    伸出・チルト用ピン孔
１７    固定ピン
１８    重ね部
１９    ストッパ
【図１】
0004166504.tif 000002
【図２】
0004166504.tif 000003
【図３】
0004166504.tif 000004
【図４】
0004166504.tif 000005
【図５】
0004166504.tif 000006